(57)【特許請求の範囲】
【請求項１】
動画データを編集する画像編集装置であって、
動画データを編集する編集部と、
前記編集部で編集された編集後の１つの動画データに第１の処理を行って前記画像編集装置とは異なる外部機器が再生可能な第１動画ファイルを生成し、前記編集後の１つの動画データに前記第１の処理とは異なる第２の処理を行って前記画像編集装置が再生可能な第２動画ファイルを生成する動画生成部と、
前記第１動画ファイルを前記外部機器へ送信する通信部と
を備える画像編集装置。
【請求項２】
請求項１に記載の画像編集装置において、
前記動画生成部は、前記第１の処理として第１の圧縮処理を行い、前記第２の処理として前記第１の圧縮処理とは異なる第２の圧縮処理を行う画像編集装置。
【請求項３】
請求項２に記載の画像編集装置において、
前記動画生成部は、第１の圧縮パラメータを使用して前記第１の圧縮処理を行い、前記第１の圧縮パラメータとは異なる第２の圧縮パラメータを使用して前記第２の圧縮処理を行う画像編集装置。
【請求項４】
請求項１から３のいずれか一項に記載の画像編集装置において、
前記動画生成部は、前記外部機器が再生できない形式で前記第２動画ファイルを生成する画像編集装置。
【請求項５】
請求項１から４のいずれか一項に記載の画像編集装置において、
前記編集部が編集する前記動画データは、前記外部機器から送信されて前記通信部で受信した動画ファイルの動画データである画像編集装置。
【請求項６】
動画データを編集する編集プログラムであって、
動画データを編集する編集手順と、
前記編集手順で編集された１つの編集後の動画データに第１の処理を行って画像編集装置とは異なる外部機器が再生可能な第１動画ファイルを生成し、前記１つの編集後の動画データに前記第１の処理とは異なる第２の処理を行って前記画像編集装置が再生可能な第２動画ファイルを生成する動画生成手順と、
前記第１動画ファイルを前記外部機器へ送信する通信手順と
をコンピュータに実行させる編集プログラム。
【発明の詳細な説明】
【技術分野】
【０００１】
本発明は、画像編集装置および画像編集プログラムに関する。
【背景技術】
【０００２】
従来から、撮影装置にて再生可能に生成され圧縮した動画を撮影装置に保存する書き戻し処理を行う画像編集装置が知られている（たとえば特許文献１）。
【先行技術文献】
【特許文献】
【０００３】
【特許文献１】特開２０１１−４１２３０号公報
【発明の概要】
【発明が解決しようとする課題】
【０００４】
しかしながら、圧縮後の動画を画像編集装置にも保存する場合、書き戻し処理とは別に動画の生成および圧縮処理を実行する必要があるので、処理が煩雑となり処理に時間を要するという問題がある。
【課題を解決するための手段】
【０００５】
請求項１に記載の画像編集装置は、動画データを編集する画像編集装置であって、動画データを編集する編集部と、編集部で編集された編集後の１つの動画データに第１の処理を行って画像編集装置とは異なる外部機器が再生可能な第１動画ファイルを生成し、編集後の１つの動画データに第１の処理とは異なる第２の処理を行って画像編集装置が再生可能な第２動画ファイルを生成する動画生成部と、第１動画ファイルを外部機器へ送信する通信部とを備える。
請求項６に記載の編集プログラムは、動画データを編集する編集プログラムであって、動画データを編集する編集手順と、編集手順で編集された１つの編集後の動画データに第１の処理を行って画像編集装置とは異なる外部機器が再生可能な第１動画ファイルを生成し、１つの編集後の動画データに第１の処理とは異なる第２の処理を行って画像編集装置が再生可能な第２動画ファイルを生成する動画生成手順と、第１動画ファイルを外部機器へ送信する通信手順とをコンピュータに実行させる。
【発明の効果】
【０００６】
本発明によれば、生成された編集動画データを記録する機器に応じたパラメータに従って処理を行うことで、処理の時間を短縮することができる。
【図面の簡単な説明】
【０００７】
【図１】本発明の実施の形態による画像編集装置と撮影装置の要部構成を示すブロック図
【図２】編集処理画面の一例を示す図
【図３】動画生成ダイアログの一例を示す図
【図４】実施の形態による画像編集装置の動作を説明するフローチャート
【発明を実施するための形態】
【０００８】
図面を参照して、本発明の実施の形態による画像編集装置について説明する。本実施の形態の画像編集装置は、たとえばパーソナルコンピュータ（以下、パソコン）等によって構成される。この画像編集装置では、ユーザが画像ファイル（静止画、動画等）や音声データ等を用いて、撮影装置にて動画として再生可能となるように編集処理をする。そして、画像編集装置は、編集された動画を撮影装置撮影装置に保存（書き戻し）するとともに画像編集装置に保存可能に構成されている。以下、詳細に説明する。
【０００９】
図１は、画像編集装置１００と、画像編集装置１００に接続された撮影装置２００との要部構成を示すブロック図である。なお、図１においては、画像編集装置１００とデジタルカメラ２００とが、通信部２１０によって接続される。本実施の形態においては、たとえばＵＳＢインタフェースケーブル２１０等によって撮影装置２００と画像編集装置１００とが接続される場合を示すが、無線伝送路等によって接続されるものであってもよい。
【００１０】
まず、撮影装置２００の構成について説明する。図１に示すように、撮影装置２００は、入力部材２０１、レンズ２０２、撮像素子２０３、制御装置２０５、記録媒体インタフェース２０７、および外部インタフェース２０９を備えている。
【００１１】
入力部材２０１はユーザによって操作される種々の操作部材に対応して設けられた種々のスイッチを含み、操作部材の操作に応じた操作信号を制御装置２０５へ出力する。操作部材は、たとえばレリーズボタンや、各種の設定等を選択的に操作する時に操作される選択キーや、選択キーにより選択された設定等を決定するための決定ボタン、撮影モードと再生モードとの間で撮影装置２００の動作を切り替えるモード切り替えボタン等を含む。
【００１２】
レンズ２０２は、複数の光学レンズ群から構成される。なお、図１ではレンズ２０２を１枚のレンズで代表して表している。撮像素子２０３は、例えばＣＣＤやＣＭＯＳ等により構成される。撮像素子２０３は、後述する制御装置２０５の制御に応じて駆動してレンズ２０２を通して入力される被写体像を撮像し、撮像して得た画像信号を制御装置２０５へ出力する。
【００１３】
記録媒体インタフェース２０７は、制御装置２０５の制御に基づいて、画像ファイルを記録媒体２０７ａに書き込んだり、記録媒体２０７ａに記録されている画像ファイルを読み出したりするインタフェースである。記録媒体２０７ａはコンパクトフラッシュ（登録商標）やＳＤカードなどの不揮発性の半導体記録媒体である。外部インタフェース２０９は、制御装置２０５により制御されて、通信部２１０（たとえばＵＳＢインタフェースケーブル等の所定のケーブルや無線伝送路）を介して接続される他の外部機器（たとえば、画像編集装置１００）との間で、双方向通信によるデータの送受信を行う。
【００１４】
制御装置２０５は、ＣＰＵやメモリやその他の周辺回路によって構成され、撮影装置２００を構成する各部に対して制御信号を出力して、撮影装置２００の動作を制御する。制御装置２０５は、入力部材２０１からの操作信号に基づいて、ユーザによってレリーズボタンが全押しされたことを検出すると、撮像素子２０３を制御して被写体像を撮像した画像信号を出力させる。制御装置２０５は、取得した画像信号に対してＡ／Ｄ変換等を施してデジタル画像信号に変換した後、補間処理、色変換処理、エッジ強調処理などの公知の画像処理を施して画像データを生成する。そして、制御装置２０５は、画像データに種々な撮影条件等の付加情報を付加して画像ファイルを生成し、記録媒体インタフェース２０７に挿入されている記録媒体２０７ａ内に記録する。
【００１５】
上記のようにして記録媒体２０７ａに記録された画像ファイルは画像編集装置１００に転送され、後述する動画編集処理に用いられる。なお、画像ファイルは、記録媒体２０７ａを画像編集装置１００内の記録媒体インタフェース２０７に挿入することにより転送されてもよいし、外部インタフェース２０９を介して転送されてもよい。
【００１６】
次に、画像編集装置１００の要部構成について説明する。図１に示すように、画像編集装置１００は、制御回路１０１、記録装置１０２、モニタ制御回路１０３、モニタ１０４、メモリ１０５、入力部材１０６、記録媒体インタフェース１０７、および外部インタフェース１０８を備える。
【００１７】
入力部材１０６は、ユーザによって操作されるスイッチやボタン、マウス等の操作部材であり、電源ボタン、選択ボタン、決定ボタン等が含まれる。選択ボタンは、後述するモニタ１０４に表示されたメニュー画面からユーザが所望するメニューや設定を選択する際に操作される。決定ボタンは、メニュー画面上で選択されたメニューや設定を実行させる際にユーザにより操作される。記録装置１０２には、たとえば撮影装置２００で撮影した動画や静止画に対応する画像ファイル、後述する動画編集処理により生成された動画ファイル（編集動画ファイル）などが記録されている。外部インタフェース１０８は、通信部２１０を介して撮影装置２００等の外部機器とデータ通信を行う。
【００１８】
画像編集装置１００は、記録媒体インタフェース１０７や外部インタフェース１０８を介して記録媒体２０７ａや外部機器から画像ファイルや音声データなどを入力する。入力された画像ファイルは、記録装置１０２に記録される。撮影装置２００で撮影された画像ファイルは、後述するように制御回路１０１により記録装置１０２に記録される。記録装置１０２には、画像ファイル等だけではなく制御回路１０１で実行される各種のプログラム等が記録される。たとえば、記録装置１０２には、後述する画像編集アプリケーションを実行するための画像編集プログラムが記録される。
【００１９】
制御回路１０１は、画像編集装置１００の制御を行うマイクロコンピュータであり、ＣＰＵやＲＯＭやその他周辺回路により構成される。制御回路１０１は、取得部１０１ａと、編集部１０１ｂと、記録制御部１０１ｃとを機能的に備える。取得部１０１ａは、外部機器から記録媒体インタフェース１０７や外部インタフェース１０８を介した画像ファイル等の取得を制御する。編集部１０１ｂは、後述する画像編集プログラムを実行して、取得部１０１ａにより取得された画像ファイル等を用いて動画編集処理を行い、編集動画データを生成する。記録制御部１０１ｃは、編集部１０１ｂにより生成された編集動画データを圧縮し、編集動画ファイルを生成して、記録装置１０２および外部機器の少なくとも一方へ記録する記録処理を行う。なお、取得部１０１ａ、編集部１０１ｂおよび記録制御部１０１ｃの詳細については、説明を後述する。
【００２０】
メモリ１０５は制御回路１０１のワーキングメモリであり、たとえばＳＤＲＡＭにより構成される。モニタ１０４は、たとえば液晶モニタであり、モニタ制御回路１０３により制御されて、表示用画像データに対応する画像、各種設定を行うためのメニュー画面などが表示される。
【００２１】
本実施の形態では、制御回路１０１は、ユーザにより画像編集アプリケーションの実行が指示されると、記録装置１０２に記録されている画像編集プログラムをメモリ１０５に読み出して、画像編集アプリケーションを実行する。画像編集アプリケーションの実行の指示は、ユーザによって入力部材１０６に含まれる電源ボタンがオン操作され、モニタ１０４上に表示されたメニュー画面から画像編集アプリケーションが選択操作されることにより行われる。制御回路１０１は、画像編集アプリケーションを起動した場合には、編集処理画面をモニタ１０４に表示する。
【００２２】
図２に編集処理画面の一例を示す。編集処理画面１５０には、画像ファイル登録領域Ｒ１と、スタイル選択領域Ｒ２と、音データ登録領域Ｒ３と、プレビュー領域Ｒ４と、動画生成ボタンＢ１とが含まれる。画像登録領域Ｒ１には、編集動画データを生成するためにユーザにより選択された画像ファイルのファイル名およびサムネイル画像が表示される。スタイル選択領域Ｒ２は、編集動画データの効果を、複数種の効果の中からユーザが選択するための領域である。複数種の効果の一例として、フェードイン、フェードアウト等がある。
【００２３】
音データ登録領域Ｒ３は、編集動画データに付与する音声データ等をユーザが選択するとともに、選択された音声データのファイル名を表示するための領域である。プレビュー領域Ｒ４は、編集動画データを生成する前に動画を再生表示させるための領域である。ユーザは、プレビュー領域Ｒ４に再生表示された動画を観察することにより、編集により生成される動画の状態を確認することができる。動画生成ボタンＢ１は、編集動画ファイルの生成開始を指示する際にユーザにより入力部材１０６を介して操作される。ユーザにより動画生成ボタンＢ１が操作されると、モニタ１０４には動画生成ダイアログが表示される。
【００２４】
図３に動画生成ダイアログの一例を示す。動画生成ダイアログ１５１は編集処理により生成された編集動画ファイルの記録先をユーザが選択するための画面である。動画生成ダイアログ１５１には、記録先を選択するための選択領域Ｒ５と、編集処理の開始を指示する生成ボタンＢ２とが含まれる。選択領域Ｒ５には、「ファイル保存」の項目Ｌ１と「カメラ（記録媒体）への書き戻し」の項目Ｌ２とが含まれる。ユーザにより項目Ｌ１が選択された場合には、動画編集処理により生成される編集動画ファイルは画像編集装置１００内の記録装置１０２に記録される。ユーザにより項目Ｌ２が選択された場合には、動画編集処理により生成される編集動画ファイルは、画像編集装置１００内の記録装置１０２と、通信部２１０によって接続された撮影装置２００に装着された記録媒体２０７ａとにそれぞれ記録（保存）される。生成ボタンＢ２は、編集動画ファイルの生成開始を指示する際にユーザにより入力部材１０６を介して操作される。ユーザにより生成ボタンＢ２が操作されると、制御回路１０１は後述する動画編集処理を開始する。
【００２５】
制御回路１０１による動画生成処理について説明する。動画生成処理には、設定処理と、動画編集処理と、記録処理とが含まれる。以下、それぞれの処理ごとに分けて説明を行う。
【００２６】
（１）設定処理
設定処理では、ユーザの選択、設定操作に応じて、制御回路１０１は、編集動画データを生成するための素材となる画像ファイルの選択と、編集動画データに付与する効果の選択と、編集動画データに付与する音声データの選択とを行う。
（１−１）画像ファイルの選択
ユーザによる入力部材１０６の操作に応じて動画編集アプリケーションの起動が指示されると、制御回路１０１は、モニタ制御回路１０３を介してモニタ１０４に図２で示した編集処理画面１５０を表示させる。取得部１０１ａは、撮影装置２００に装着された記録媒体２０７ａに記録されている画像ファイルのうち、ユーザによって選択された画像ファイルを取得する。この場合、取得部１０１ａは、通信部２１０を介して撮影装置２００に対して、選択された画像ファイルの送信を指示する。なお、画像編集装置１００の入力部材１０６をユーザが操作して画像ファイルを選択可能な構成としてもよいし、撮影装置２００の入力部材２０１をユーザが操作して画像ファイルを選択可能な構成としてもよい。
【００２７】
撮影装置２００からユーザにより選択された画像ファイルが送信されると、記録制御部１０１ｃは、送信された画像ファイルを記録装置１０２に記録する。画像ファイルが記録装置１０２に記録される。制御回路１０１は、編集処理画面１５０の画像登録領域Ｒ１に、メモリ１０５に格納した画像ファイルと予め記録装置１０２内に記録されている画像ファイルのファイル名およびサムネイル画像を表示させる。
【００２８】
（１−２）効果の選択
ユーザは、編集処理画面１５０のスタイル選択領域Ｒ２にて入力部材１０６を操作することによって、生成する編集動画データの効果を選択する。制御回路１０１は、ユーザにより選択された効果を選択済効果として設定して、編集処理画面１５０のスタイル選択領域Ｒ２に、選択済効果を表示させる。そして、制御回路１０１は、動画生成ボタンＢ１が操作されると、後述する編集部１０１ｂに対して選択済効果に応じた編集動画データを生成させる。
【００２９】
（１−３）音声データの選択
ユーザは記録装置１０２に記録されている音声データの中から、所望の音声データをＢＧＭとして編集動画データに付与することができる。この場合、制御回路１０１ａは、記録装置１０２に記録されている音声データのうち、ユーザにより選択された音声データを読み出してメモリ１０５に格納する。音声データがメモリ１０５に格納されると、制御回路１０１は、編集処理画面１５０の音楽登録領域Ｒ３に、メモリ１０５に格納した音声データのファイル名を表示させる。なお、画像編集装置１００の入力部材１０６をユーザが操作することにより、音声データが選択可能に構成されているものとする。また、ユーザが選択する音声データは、外部インタフェース１０８を介して、外部機器やインタネット等から取得してもよい。
【００３０】
（２）動画編集処理
編集部１０１ｂは、編集選択画面１５０の動画生成ボタンＢ１がユーザによって入力部材１０６を介して操作されると、動画編集処理を開始する。編集部１０１ｂは、上述した設定処理で選択された画像ファイルの画像データ、効果、音声データを用いて、たとえば公知のレンダリング処理によって編集動画データを生成する。この場合、編集部１０１ｂは、記録装置１０２に記録された画像ファイルをメモリ１０５に読み出して、画像ファイルの画像データ、すなわち圧縮されている画像データを伸長する。そして、編集部１０１ｂは、伸長された画像データと音声データとを組み合わせて、レンダリング処理によって動画のストリームを生成することにより、編集動画データを生成する。このとき、編集部１０１ｂは、選択済効果に従って、フェードイン、フェードアウト等の効果を加える。
【００３１】
（３）記録処理
記録制御部１０１ｃは、生成した編集動画データに対して圧縮処理を施す。この場合、記録制御部１０１ｃは、動画生成ダイアログ１５１で選択された項目Ｌ１またはＬ２に応じて、異なる圧縮処理を行う。以下、項目Ｌ１の「ファイル保存」が選択された場合と、項目Ｌ２の「カメラ（メモリカード）への書き戻し」が選択された場合とに分けて説明する。
【００３２】
（３−１）ファイル保存
項目Ｌ１の「ファイル保存」が選択された場合、記録制御部１０１ｃは、生成した編集動画データを、画像編集装置１００のモニタ１０４にて再生可能となる形式で圧縮処理を施し、編集動画ファイルを生成する。この場合、記録制御部１０１ｃは、画像編集装置１００に適合した形式となるように、画像編集装置１００に対応した圧縮パラメータを使用して、編集動画データの各種の制御パラメータを設定する。生成された編集動画ファイルは、画像編集装置１００に最適な形式で圧縮されているため、撮影装置２００では再生不可能である。そして、記録制御部１０１ｃは、生成した編集動画ファイルを記録装置１０２に記録（保存）する。
【００３３】
（３−２）カメラ（記録媒体）への書き戻し
項目Ｌ２の「カメラ（記録媒体）への書き戻し」が選択された場合、記録制御部１０１ｃは、生成した編集動画データを、撮影装置２００のモニタ（不図示）にて再生可能となる形式と画像編集装置１００のモニタ１０４で再生可能となる形式でそれぞれ圧縮処理を施して、編集動画ファイルを生成する。記録制御部１０１ｃは、圧縮処理により生成された編集動画ファイルを、撮影装置２００（たとえば記録媒体２０７ａ）と画像編集装置１００の記録装置１０２とに記録する。この場合、記録制御部１０１ｃは、撮影装置２００または画像編集装置１００に適合した形式となるように、それぞれの機器に最適な圧縮パラメータを使用して編集動画データの各種の制御パラメータを設定し、画像編集装置１００用編集動画ファイルと、撮影装置２００用編集動画ファイルとを生成する。そして、記録制御部１０１ｃは、生成した画像編集装置１００用編集動画ファイルを記録装置１０２に記録（保存）する。さらに、記録制御部１０１ｃは、撮影装置２００に対応する形式で生成された撮影装置２００用編集動画ファイルを、通信部２１０を介して撮影装置２００へ送信し、撮影装置２００に接続された記録媒体２０７ａに記録させる。
【００３４】
なお、記録制御部１０１ｃは、画像編集装置１００用編集動画ファイルの圧縮処理と撮影装置２００用編集動画ファイルの圧縮処理とを同時に行ってもよい。または、記録制御部１０１ｃは、撮影装置２００用編集動画ファイルの撮影装置２００への記録と、画像編集装置１００用編集動画ファイルの記録装置１０２への記録とを同時に開始させてもよい。記録制御部１０１ｃは、生成された撮影装置２００用編集動画ファイルを撮影装置２００に記録させて、画像編集装置１００用編集動画ファイルの圧縮処理を開始してもよい。さらには、撮影装置２００と記録装置１０２のいずれから記録を開始させるかについては、編集選択画面１０５において、ユーザが所定の操作を行うことにより設定可能に構成されていればよい。また、生成された編集動画ファイルは、撮影装置２００と記録装置１０２に加えて、記録媒体インタフェース１０７に接続された記録媒体２０７ａにも記録可能に構成されてもよい。
【００３５】
図４に示すフローチャートを用いて、画像編集装置１００の動作について説明する。図４の処理を行うプログラムは記録装置１０２内に格納されており、ユーザの操作に応じて画像編集アプリケーションが起動された場合に制御回路１０１により起動されて、実行される。
【００３６】
ステップＳ１においては、取得部１０１ａは、撮影装置２００に対して、ユーザにより選択された画像ファイルの送信を指示する。そして、取得部１０１ａは選択された画像ファイルを取得して記録装置１０２に記録する。撮影装置２００から送信され記録された画像ファイルと、予め記録装置１０２に保存されている画像ファイルとが読み出され、編集動画データの生成に用いる画像ファイルがユーザにより選択されると、処理はステップＳ２へ進む。ステップＳ２では、制御回路１０１は、ユーザによって選択された効果を選択済効果として設定してステップＳ３へ進む。ステップＳ３では、制御回路１０１は、ユーザによって選択された音声データを記録装置１０２から読み出して、メモリ１０５に格納してステップＳ４へ進む。
【００３７】
ステップＳ４では、ユーザによって、編集動画データの生成開始が指示されたか否かを判定する。ユーザによる入力部材１０６を介して動画生成ボタンＢ１が操作された場合には、制御回路１０１によってステップＳ４が肯定判定されてステップＳ５へ進む。動画生成ボタンＢ１が操作されていない場合には、制御回路１０１によってステップＳ４が否定判定されてステップＳ１へ戻る。ステップＳ５では、編集部１０１ｂは、記録装置１０２に記録されている画像ファイルをメモリ１０５に読み出し、読み出した画像ファイルの画像データを伸長してステップＳ６へ進む。ステップＳ６では、編集部１０１ｂは、伸長された画像データと、音声データとを、選択済効果に従って組み合わせて編集動画データを生成してステップＳ７へ進む。
【００３８】
ステップＳ７では、制御回路１０１は、動画生成ダイアログ１５１で項目Ｌ１の「ファイル保存」がユーザによって選択されているか否かを判定する。項目Ｌ１の「ファイル保存」が選択されている場合には、制御回路１０１によってステップＳ７が肯定判定されてステップＳ８へ進む。ステップＳ８では、記録制御部１０１ｃは、編集動画データが画像編集装置１００にて再生可能となるように圧縮処理を施し、すなわち画像編集装置１００の圧縮パラメータを使用して画像編集装置１００用編集動画ファイルを生成して、ステップＳ９へ進む。ステップＳ９では、記録制御部１０１ｃは生成された画像編集装置１００用編集動画ファイルを記録装置１０２へ記録して処理を終了する。
【００３９】
項目Ｌ２の「カメラ（記録媒体）へ書き戻し」が選択されている場合には、制御回路１０１によってステップＳ７が否定判定されてステップＳ１０へ進む。ステップＳ１０では、記録制御部１０１ｃは、編集動画データに対して撮影装置２００で再生に適した圧縮処理を施して撮影装置２００用編集動画ファイルを生成し、編集動画データに対して画像編集装置１００で再生に適した圧縮処理を施して画像編集装置１００用編集動画ファイルを生成しステップＳ１１へ進む。ステップＳ１１では、記録制御部１０１ｃは、生成した画像編集装置１００用編集動画ファイルを記録装置１０２に記録させ、生成した撮影装置２００用編集動画ファイルを撮影装置２００に装着された記録媒体２０７ａに記録させて処理を終了する。
【００４０】
以上で説明した実施の形態による画像編集装置１００によれば、以下の作用効果が得られる。
本実施の形態の画像編集装置１００は、撮影装置２００等の外部機器で撮影された動画ファイルを編集し、撮影装置２００に書き戻し可能に構成されている。画像編集装置１００は、制御回路１０１と記録装置１０２とを有し、制御回路１０１は取得部１０１ａと、編集部１０１ｂと、記録制御部１０１ｃとを機能的に備える。取得部１０１ａは、外部インタフェース１０８を介して、撮影装置２００から画像ファイルを取得する。記録装置１０２は、取得部１０１ａにより取得された画像ファイルを記録する。編集部１０１ｂは、記録装置１０２により記録された画像データを編集して編集動画データを生成する。記録制御部１０１ｃは、編集部１０１ｂにより生成された編集動画データを撮影装置２００と画像編集装置１００に応じた圧縮パラメータに従って編集動画ファイルを生成し、それぞれに記録する。すなわち、記録制御部１０１ｃは、記録させる撮影装置２００と画像編集装置１００に対応した編集動画ファイルを生成するうえで、共通の編集動画データを使用して、換言すれば動画編集処理までを共通の処理にすることで、処理にかかる時間を短縮した。
【００４１】
従来の技術では、生成された編集動画ファイルを、撮影装置２００と画像編集装置１００とに記録する場合、それぞれ別処理にて編集動画データを生成し、圧縮処理を施して編集動画ファイルを生成する必要があった。つまり、ユーザは動画生成処理を指示する操作を別途行う必要があるとともに、撮影装置２００への書き戻し用および画像編集装置１００への記録用にそれぞれ動画編集処理が行われていた。これに対して本実施の形態によれば、撮影装置２００への書き戻し用および画像編集装置１００への記録用に、編集部１０１ｂによる共通の動画編集処理により編集動画データを生成しているので、すなわち複数回の動画編集処理を必要としないので、動画生成処理に要する時間を短縮することができる。さらに、ユーザによる１回の動画生成処理の指示により撮影装置２００への書き戻しと画像編集装置１００への記録とが行われるので、利便性を向上させることができる。
【００４２】
以上で説明した実施の形態を以下のように変形できる。
（１）書き戻しの際に、記録制御部１０１ｃは、編集動画データに対して撮影装置２００での再生に適した圧縮処理を施して撮影装置２００用編集動画ファイルを生成し、撮影装置２００の記録媒体２０７ａに記録するとともに、撮影装置２００用編集動画ファイルを画像編集装置１００内の記録装置１０２に記録してもよい。再生時の汎用性が高い画像編集装置１００においては、再生の汎用性の低い機器に適した圧縮処理を施した画像編集ファイルを保存するようにしてもよい。この場合は、動画編集処理により生成された編集動画データに対して一度の圧縮処理を施すのみである。その結果、動画生成処理に要する処理時間を短縮できる。
【００４３】
（２）制御回路１０１は、通信部２１０によって接続された撮影装置２００から画像データを取得し、生成した編集動画ファイルを書き戻すものとして説明したが、記録媒体インタフェース１０７を介して記録媒体２０７ａから画像データを取得し、生成した編集動画ファイルを書き戻してもよい。
【００４４】
（３）画像編集装置１００は、外部機器として、動画を再生可能なものであれば撮影装置２００以外の機器、たとえばスマートフォン、フォトフレーム等へ書き戻しを行うものであってもよい。この場合、動画生成ダイアログ１５１において書き戻しを行う機器を選択できるようにする。記録制御部１０１ｃは、生成された編集動画データに対して外部機器のデバイスの特性に応じてそれぞれの外部機器の圧縮パラメータを使用して、編集動画ファイルを生成すればよい。また、画像編集装置１００が通信部２１０を介して接続されている複数の機器に書き戻し可能としてもよい。
【００４５】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組み合わせて構成しても構わない。
【符号の説明】
【００４６】
１００  画像編集装置、  １０１  制御回路、
１０１ａ  取得部、  １０１ｂ  編集部、
１０１ｃ  記録制御部、  １０２  記録装置
１０８  外部インタフェース
【図１】
0005866896.tif 000002
【図２】
0005866896.tif 000003
【図３】
0005866896.tif 000004
【図４】
0005866896.tif 000005